(57)【要約】【課題】電子装置のスクロール情報の表示方法及び装置を提供することにある。【解決手段】本発明の多様な実施形態は電子装置のスクロール情報の表示方法及びその装置に関するものであり、電子装置のスクロール情報の表示方法において、コンテンツを表示する過程と、前記コンテンツのサイズが画面のサイズより大きい際には画面の特定領域にスクロールバーを表示する過程と、前記スクロールバーのサイズを調節するためのジェスチャーを検出する過程と、前記ジェスチャーが検出される際、前記調節されたスクロールバーのサイズに対応して該当方向にコンテンツをスクロールする過程と、前記スクロールされたコンテンツの位置を百分率で表示する過程と、を含む。【選択図】図５
2014135053.tif 000002
【特許請求の範囲】
【請求項１】
電子装置のスクロール情報の表示方法において、
コンテンツを表示する過程と、
前記コンテンツのサイズが画面のサイズより大きい際、画面の特定領域にスクロールバーを表示する過程と、
前記スクロールバーのサイズを調節するためのジェスチャーを検出する過程と、
前記ジェスチャーが検出される際、前記調節されたスクロールバーのサイズに対応して該当方向にコンテンツをスクロールする過程と、を含む方法。
【請求項２】
前記該当方向にコンテンツをスクロールする過程と、
前記スクロールバーのサイズが大きくなるほど前記コンテンツの最後の部分に隣接した位置にスクロールされ、
前記スクロールバーのサイズが小さくなるほど前記コンテンツの最初の部分に隣接した位置にスクロールされることを含む請求項１に記載の方法。
【請求項３】
前記スクロールされたコンテンツの位置を百分率で計算する過程と、
前記計算された百分率を前記スクロールバーと近接した領域に表示する過程と、を更に含む請求項１に記載の方法。
【請求項４】
前記スクロールは垂直スクロール（ｖｅｒｔｉｃａｌ  ｓｃｒｏｌｌｉｎｇ）又は水平スクロール（ｈｏｒｉｚｏｎｔａｌ  ｓｃｒｏｌｌｉｎｇ）のうち一つであることを含む請求項１に記載の方法。
【請求項５】
前記スクロールバーはタッチ入力の際に前記画面の特定領域に表示され、
タッチが解除される際に消えることを含む請求項１に記載の方法。
【請求項６】
前記スクロールバーのサイズはドラッグ距離又は移動距離に比例して調節されることを含む請求項１に記載の方法。
【請求項７】
初期スクロールバーのサイズは前記コンテンツのサイズに基づいて決定されることを含む請求項１に記載の方法。
【請求項８】
電子装置のスクロール情報の表示方法において、
コンテンツを表示する過程と、
前記コンテンツのサイズが画面のサイズより大きい際、画面の特定領域にスクロールバーを表示する過程と、
前記スクロールバーのサイズを調節するためのジェスチャーを検出する過程と、
前記ジェスチャーが検出される際、前記調節されたスクロールバーのサイズに対応して該当方向にコンテンツをスクロールする過程と、
前記スクロールされたコンテンツの位置を百分率で表示する過程と、を含む方法。
【請求項９】
前記該当方向にコンテンツをスクロールする過程は、
前記スクロールバーのサイズが大きくなるほど前記コンテンツの最後の部分に隣接した位置にスクロールされ、
前記スクロールバーのサイズが小さくなるほど前記コンテンツの最初の部分に隣接した位置にスクロールされることを含む請求項８に記載の方法。
【請求項１０】
前記スクロールバーはタッチ入力の際に前記画面の特定領域に表示され、
タッチが解除される際に消えることを含む請求項８に記載の方法。
【請求項１１】
前記スクロールバーのサイズはドラッグ距離又は移動距離に比例して調節されることを含む請求項８に記載の方法。
【請求項１２】
一つ以上のプロセッサと、
メモリと、
前記メモリに記憶されて前記一つ以上のプロセッサによって実行されるように構成される一つ以上のプログラムと、を含む電子装置であって、
前記プログラムは、
コンテンツを表示し、
前記コンテンツのサイズが画面のサイズより大きい際、画面の特定領域にスクロールバーを表示し、
前記スクロールバーのサイズを調節するためのジェスチャーを検出し、
前記ジェスチャーが検出される際、前記調節されたスクロールバーのサイズに対応して該当方向にコンテンツをスクロールする命令語を含む電子装置。
【請求項１３】
前記スクロールバーのサイズが大きくなるほど前記コンテンツの最後の部分に隣接した位置にスクロールされ、
前記スクロールバーのサイズが小さくなるほど前記コンテンツの最初の部分に隣接した位置にスクロールされることを含む請求項１２に記載の電子装置。
【請求項１４】
前記プログラムは、
前記スクロールされたコンテンツの位置を百分率で計算し、
前記計算された百分率を前記スクロールバーと近接した領域に表示する命令語を更に含む請求項１２に記載の電子装置。
【請求項１５】
前記スクロールは垂直スクロール（ｖｅｒｔｉｃａｌ  ｓｃｒｏｌｌｉｎｇ）又は水平スクロール（ｈｏｒｉｚｏｎｔａｌ  ｓｃｒｏｌｌｉｎｇ）のうち一つであることを含む請求項１２に記載の電子装置。
【請求項１６】
前記スクロールバーはタッチ入力の際に前記画面の特定領域に表示され、
タッチが解除される際に消えることを含む請求項１２に記載の電子装置。
【請求項１７】
前記スクロールバーのサイズはドラッグ距離又は移動距離に比例して調節されることを含む請求項１２に記載の電子装置。
【請求項１８】
初期スクロールバーのサイズは前記コンテンツのサイズに基づいて決定されることを含む請求項１２に記載の電子装置。
【請求項１９】
一つ以上のプロセッサと、
メモリと、
前記メモリに記憶されて前記一つ以上のプロセッサによって実行されるように構成される一つ以上のプログラムと、を含む電子装置であって、
前記プログラムは、
コンテンツを表示し、
前記コンテンツのサイズが画面のサイズより大きい際、画面の特定領域にスクロールバーを表示し、
前記スクロールバーのサイズを調節するためのジェスチャーを検出し、
前記ジェスチャーが検出される際、前記調節されたスクロールバーのサイズに対応して該当方向にコンテンツをスクロールし、
前記スクロールされたコンテンツの位置を百分率で表示する命令語を含む電子装置。
【請求項２０】
前記スクロールバーのサイズが大きくなるほど前記コンテンツの最後の部分に隣接した位置にスクロールされ、
前記スクロールバーのサイズが小さくなるほど前記コンテンツの最初の部分に隣接した位置にスクロールされることを含む請求項１９に記載の電子装置。
【発明の詳細な説明】
【技術分野】
【０００１】
本発明は一般に電子装置に関するものであり、特に電子装置のスクロール情報の表示方法及びその装置に関する。
【背景技術】
【０００２】
最近、携帯用端末機がユーザの便宜のための多様な機能を提供することによって、携帯用端末機の画面に表示すべき情報が次第に増加している。しかし、携帯用端末機の小さい画面サイズのため一つの画面に表示可能な情報の量は限られている。それによって、ユーザは画面に表示されていない他の情報を見るために移動キーを何回も入力するか、スクロールを介して画面に表示されたデータを移動させる方式（以下、スクロール動作と称する）を利用している。前記スクロール動作とは、画面に表示されたデータを上下又は左右に動かせて前記画面に表示されていないデータを表示する方式を意味する。例えば、上にスクロールする動作は画面の全体内容が上に移動して画面の上部分に位置したデータは消され、画面の下部分に新たなデータが現れるようにする。このようなスクロール方式はユーザが全体のデータ量を把握し、全体のデータのうちから現在のデータが整列された順番における大体の位置を把握するようにする。
【０００３】
図１の（ａ）乃至（ｃ）は、従来技術のスクロール動作による画面を示している。
【０００４】
図１の（ａ）はウェブページの初期画面又は文書を開いた後の初期画面であって、表示しようとするウェブページのサイズ又は文書のサイズが画面のサイズより大きい場合、画面の特定領域にスクロールバー１００が表示される。好ましくは、初期スクロールバー１００の位置は画面の右側上端に位置し、スクロールバーのサイズはウェブページのサイズ又は文書のサイズに反比例する。例えば、ウェブページのサイズ又は文書のサイズが小さい場合にはスクロールバー１００のサイズが大きく、ウェブページのサイズ又は文書のサイズが大きい場合にはスクロールバー１００のサイズが小さい。初期スクロールバーのサイズに応じて、ユーザがウェブページのサイズ又は文書のサイズを予測することができる。即ち、初期スクロールバー１００のサイズが大きい場合にはスクロールするウェブページ又は文書の内容が少なく、初期スクロールバー１００のサイズが小さい場合にはスクロールするウェブページ又は文書の内容が多いことを意味する。
【０００５】
図１の（ｂ）は、図１の（ａ）からスクロールバー１００が下方向に３０％程度下がる際、画面の上部分に位置するデータは上に移動して消され、画面の下部分のデータが上部分に移動する。この際、スクロールバーの位置１１０はおおよそスクロールバー１００が移動する領域（以下、スクロール領域と称する）の３０％領域に位置する。
【０００６】
図１の（ｃ）は、図１の（ｂ）からスクロールバー１００が下方向に７０％程度更に下がる際（即ち、最下に移動する際）、画面の上部分に位置するデータは上に移動して消され、画面の下部分のデータが上部分に移動する。この際、スクロールバーの位置１１０はスクロール領域の最下１２０に位置する。
【０００７】
逆に、スクロールバー１００が図１の（ｃ）のように下側から図１の（ｂ）のように上側に移動する際、下部分に位置したデータは下に移動して消され、画面の上部分のデータが下部分に移動する。
【０００８】
上述したように、ウェブページ又は文書を画面に表示する場合、従来にはウェブページ又は文書のサイズが画面のサイズより大きいとスクロールバーを画面に表示しそれを利用して上下又は左右にスクロールするか、クリックの後スクロールバーのドラッグ（Ｄｒａｇ）又はスクロール領域の特定領域をクリックしてウェブページ又は文書の内容を表示する。
【０００９】
しかし、画面に表示すべき内容が多くて初期スクロールバーのサイズが小さい場合、ユーザがスクロール領域の小さいスクロールバーの位置を参照して画面に表示される内容が全体内容のうちどの部分に当たるのかを判断することができる。
【００１０】
言い換えると、従来ではスクロール領域でのスクロールバーの位置を参照して現在画面に表示されている内容が全体内容のうちどの部分に当たるのかを大まかに判断することができるだけであり、正確に判断し得る情報を提供してはいない。
【００１１】
よって、電子装置でのスクロール動作の際に現在画面に表示されている内容が全体内容のうちどの部分に当たるのかを判断し得る情報を提供するための方法及びその装置が必要である。
【先行技術文献】
【特許文献】
【００１２】
【特許文献１】韓国特許出願公開第１０−２０１０−０１３６１５６号公報
【発明の概要】
【発明が解決しようとする課題】
【００１３】
本発明の目的は、電子装置のスクロール情報の表示方法及び装置を提供することにある。
【００１４】
本発明の他の目的は、電子装置でのスクロール動作の際に現在画面に表示されている内容が全体内容のうちどの部分に当たるのかを判断し得る情報を提供するための方法及びその装置を提供することにある。
【課題を解決するための手段】
【００１５】
上述した目的を達成するための本発明の第１態様によると、電子装置のスクロール情報の表示方法において、コンテンツを表示する過程と、前記コンテンツのサイズが画面のサイズより大きい際には画面の特定領域にスクロールバーを表示する過程と、前記スクロールバーのサイズを調節するためのジェスチャーを検出する過程と、前記ジェスチャーが検出される際、前記調節されたスクロールバーのサイズに対応して該当方向にコンテンツをスクロールする過程と、を含む。
【００１６】
上述した目的を達成するための本発明の第２態様によると、電子装置のスクロール情報の表示方法において、コンテンツを表示する過程と、前記コンテンツのサイズが画面のサイズより大きい際には画面の特定領域にスクロールバーを表示する過程と、前記スクロールバーのサイズを調節するためのジェスチャーを検出する過程と、前記ジェスチャーが検出される際、前記調節されたスクロールバーのサイズに対応して該当方向にコンテンツをスクロールする過程と、前記スクロールされたコンテンツの位置を百分率で表示する過程と、を含む。
【００１７】
上述した目的を達成するための本発明の第３態様によると、一つ以上のプロセッサと、メモリと、前記メモリに記憶されて前記一つ以上のプロセッサによって実行されるように構成される一つ以上のプログラムと、を含む電子装置であって、前記プログラムはコンテンツを表示し、前記コンテンツのサイズが画面のサイズより大きい際には画面の特定領域にスクロールバーを表示し、前記スクロールバーのサイズを調節するためのジェスチャーを検出し、前記ジェスチャーが検出される際、前記調節されたスクロールバーのサイズに対応して該当方向にコンテンツをスクロールする命令語を含む。
【００１８】
上述した目的を達成するための本発明の第４態様によると、一つ以上のプロセッサと、メモリと、前記メモリに記憶されて前記一つ以上のプロセッサによって実行されるように構成される一つ以上のプログラムと、を含む電子装置であって、前記プログラムはコンテンツを表示し、前記コンテンツのサイズが画面のサイズより大きい際には画面の特定領域にスクロールバーを表示し、前記スクロールバーのサイズを調節するためのジェスチャーを検出し、前記ジェスチャーが検出される際、前記調節されたスクロールバーのサイズに対応して該当方向にコンテンツをスクロールし、前記スクロールされたコンテンツ位置を百分率で表示する命令語を含む。
【図面の簡単な説明】
【００１９】
【図１】従来技術のスクロール動作による画面を示す図である。
【図２】本発明の第１実施形態によるスクロール動作による画面を示す図である。
【図３】本発明の第２実施形態によるスクロール動作による画面を示す図である。
【図４】本発明の第３実施形態によるスクロール動作による画面を示す図である。
【図５】本発明の第１実施形態による電子装置のスクロール情報表示を示すフローチャートである。
【図６】本発明の第２実施形態による電子装置のスクロール情報表示を示すフローチャートである。
【図７】本発明の実施形態による電子装置の構成図である。
【発明を実施するための形態】
【００２０】
以下に本発明の好ましい実施形態を添付した図面を参照して詳細に説明する。そして、本発明を説明するに当たって、関連する公知機能或いは構成に対する具体的な説明が本発明の要旨を不明確にする恐れがあると判断される場合にはその詳細な説明を省略する。そして、後述する用語は本発明における機能を考慮して定義された用語であり、これはユーザ、運用者の意図又は慣例などによって異なり得る。よって、その定義は本明細書全般にかかる内容に基づいて下されるべきである。
【００２１】
以下、本発的は電子装置でのスクロール動作の際に現在画面に表示されている内容が全体内容のうちどの部分に当たるのかを判断し得る情報を提供するための方法及びその装置について説明する。
【００２２】
以下、「タッチ（Ｔｏｕｃｈ）」という用語はタッチスクリーンの上にユーザの指やスタイラスペン（Ｓｔｙｌｕｓ  Ｐｅｎ）などが接触した状態を意味する。「タッチ解除」という用語は、タッチスクリーンの上に接触した指又はスタイラスペンの接触を解除することを意味する。「ドラッグ」という用語は、前記タッチスクリーンにタッチを維持した状態でタッチ地点を移動する動作を意味する。そして、「ドラッグ解除」という用語は、ユーザがドラッグした後でタッチスクリーンの上に接触した指又はスタイラスペンの接触を解除することを意味する。
【００２３】
図２の（ａ）乃至（ｃ）は、本発明の第１実施形態によるスクロール動作による画面を示す図である。
【００２４】
図２の（ａ）はウェブページの初期画面又は文書を開いた後の初期画面であって、表示しようとするウェブページのサイズ又は文書のサイズが画面のサイズより大きい場合、画面の特定領域にスクロールバー２００が表示される。好ましくは、初期スクロールバー２００の位置は画面の右側上端に位置し、スクロールバー２００の長さはウェブページの長さ又は文書の長さに反比例する。例えば、ウェブページの長さ又は文書の長さが小さい場合にはスクロールバー２００の長さが長く、ウェブページの長さ又は文書の長さが長い場合にはスクロールバー２００の長さが短い。初期スクロールバーの長さに応じて、ユーザがウェブページの長さ又は文書の長さを大体予測することができる。即ち、初期スクロールバー２００の長さが長い場合にはスクロールするウェブページ又は文書の内容が少なく、初期スクロールバー２００のサイズが短い場合にはスクロールするウェブページ又は文書の内容が多いことを意味する。
【００２５】
多様な実施形態において、スクロールバー２００はユーザのジェスチャー入力（例えば、タッチ入力）の際に現れ、タッチ解除の際にスクロールバー２００が消える。
【００２６】
図２の（ｂ）は、図２の（ａ）から文書が上方向に５０％程度下がる際、画面の上部分に位置するデータは上に移動して消され、画面の下部分のデータが上部分に移動する。この際、スクロールバー２００は移動されず、文書のドラッグ距離又は移動距離に応じてスクロールバー２００の長さが長くなる２１０。長くなったスクロールバーの長さは現在画面に表示されている内容が全体内容のうちどの部分に当たるのかを示す。
【００２７】
図２の（ｃ）は、図２の（ｂ）から文書が上方向に５０％程度更に下がる際（即ち、最下に移動する際）、画面の上部分に位置するデータは上に移動して消され、画面の下部分のデータが上部分に移動する。この際、スクロールバー２００の長さはスクロール領域の長さと同じであり２２０、ウェブページ又は文書の全体内容のうち最後の部分を示し、 スクロールバー２００の長さはそれ以上長くならない。
【００２８】
逆に、文書が図２の（ｃ）のように上側から図２の（ｂ）のように下側に移動する際、下部分に位置したデータは下に移動して消され、画面の上部分のデータが下部分に移動する。この際、文書のドラッグ距離又は移動距離に応じてスクロールバー２００の長さが短くなる２１０。ここで、スクロールバーの長さは現在画面に表示されている内容が全体内容のうちどの部分に当たるのかを示す。
【００２９】
上述したように、文書のドラック距離又は移動距離に応じてスクロールバーの長さを調節することで、ユーザはスクロールバーの長さを参照して現在画面に表示されている内容が全体内容のうちどの部分に当たるのかを判断することができる。
【００３０】
他の具現によって、図２の（ａ）乃至（ｃ）に加えて現在画面に表示されている内容が全体内容のうちどの位置に当たるのかを百分率で示してもよい。
【００３１】
図３の（ａ）乃至（ｃ）は、本発明の第２実施形態によるスクロール動作による画面を示す図である。
【００３２】
図３の（ａ）は図２の（ａ）の画面に加え、現在画面に表示されている内容が全体内容のうちどの位置に当たるのかを百分率（０％）で示してもよい。好ましくは、百分率情報はスクロールバーのすぐ下に位置する。
【００３３】
ユーザは表示される百分率０％を参照し、現在画面に表示されている内容が全体内容のうち最初の部分であると分かる。
【００３４】
図３の（ｂ）は図２の（ｂ）の画面に加え、現在画面に表示されている内容が全体内容のうちどの位置に当たるのかを百分率（５０％）で示してもよい。好ましくは、百分率情報はスクロールバーのすぐ下に位置する。
【００３５】
ユーザは表示される百分率５０％を参照し、現在画面に表示されている内容が全体内容のうち中間部分であると分かる。
【００３６】
図３の（ｃ）は図２の（ｃ）の画面に加え、現在画面に表示されている内容が全体内容のうちどの位置に当たるのかを百分率（１００％）で示してもよい。好ましくは、百分率情報はスクロールバーのすぐ下に位置する。
【００３７】
ユーザは表示される百分率１００％を参照し、現在画面に表示されている内容が全体内容のうち最後の部分であると分かる。
【００３８】
図３の（ａ）乃至（ｃ）のように百分率情報がスクロールバーのすぐ下に位置してもよいが、それに限らず画面の他の部分に位置してもよい。例えば、図４の（ａ）乃至（ｃ）のように百分率情報は右側上端に位置してもよい。
【００３９】
図４の（ａ）乃至（ｃ）は、スクロールバーの長さ調節と共に百分率情報は右側上端に位置する例を示している。
【００４０】
図５は、本発明の第１実施形態による電子装置のスクロール情報表示を示すフローチャートである。
【００４１】
図５を参照すると、電子装置はステップ５００でウェブブラウザを利用してタッチスクリーンの上に該当ウェブページを表示する。
【００４２】
次に、電子装置はステップ５０２でウェブページ（又は文書）の内容が画面のサイズより多い場合、特定領域にスクロールバーを表示する。この際、好ましくは、初期スクロールバーは右側上端に位置し、ウェブページ（又は文書）の内容が最初であると知らせる。また、初期スクロールバーの長さはウェブページ又は文書のサイズに反比例する。
【００４３】
次に、電子装置はステップ５０４でウェブページ（又は文書）の移動のためのユーザのタッチ及びドラッグを感知する。例えば、ウェブページ又は文書の下部分にある内容が表示されるためにはドラッグの方向が上方向を向き、ウェブページの上部分にある内容が表示されるためにはドラッグの方向が下方向を向く。ここで、文書の移動はユーザによって表示された内容の一部がタッチされて該当方向にドラッグされることで行われる。
【００４４】
他の具現において、電子装置はユーザのスクロールバーのタッチ及びドラッグを感知し、感知結果に応じてウェブページ又は文書の内容を移動させる。例えば、ウェブページ又は文書の下部分にある内容が表示されるためにはスクロールバーがスクロール領域内で下方向に移動され、スクロールバーがスクロール領域内でドラッグ方向が上方向を向き、ウェブページの上部分にある内容が表示されるためにはスクロールバーがスクロール領域内で上方向に移動される。
【００４５】
次に、電子装置はステップ５０６で文書のドラッグ長さに応じてスクロールバーの長さを調節して表示する。例えば、上方向にドラッグされるとスクロールバーの長さが長くなり、スクロールバーの長さは現在表示されている画面の内容が全体内容のうちどの部分に当たるのかに比例する。実質的に、スクロール動作の際にスクロールバーは移動されず、スクロールバーの長さが調節される。
【００４６】
次に、本発明の手順を終了する。
【００４７】
図６は、本発明の第２実施形態による電子装置のスクロール情報表示を示すフローチャートである。
【００４８】
図６を参照すると、電子装置はステップ６００でウェブブラウザ（又は文書ビューア）を利用してタッチスクリーンの上に該当ウェブページ（又はビューア）を表示する。
【００４９】
次に、電子装置はステップ６０２でウェブページ（又は文書）の内容が画面のサイズより多い場合、画面の第１領域にスクロールバーを表示する。この際、好ましくは、初期スクロールバーは右側上端に位置し、ウェブページ（又は文書）の内容が最初であると知らせる。また、初期スクロールバーの長さはウェブページ又は文書の長さに反比例する。正確には、文書の全体の長さに反比例して表示される。
【００５０】
次に、電子装置はステップ６０４でウェブページ（又は文書）の移動のためのユーザのタッチ及びドラッグを感知する。例えば、ウェブページ（又は文書）の下部分にある内容が表示されるためにはドラッグ入力が上方向を向き、ウェブページ（又は文書）の上部分にある内容が表示されるためにはドラッグ方向が下方向を向く。ここで、文書の移動はユーザによって文書の一部分がタッチされて該当方向に上下にドラッグされることで行われる。
【００５１】
次に、電子装置はステップ６０６でドラッグ長さに応じてスクロールバーの長さを調節して表示する。例えば、文書が下方向にドラッグされるとスクロールバーの長さが短くなり、スクロールバーの長さは現在表示されている画面の内容が全体内容のうちどの部分に当たるのかに比例する。実質的に、スクロール動作の際にスクロールバーは移動されず、スクロールバーの長さが調節される。
【００５２】
次に、電子装置はステップ６０８で現在画面に表示されている内容が全体内容のうちどの部分に当たるのかを示す百分率情報を表示するのかを判断し、百分率情報表示が活性化されている際にはステップ６１０に進行して現在画面に表示されている内容が全体内容のうちどの部分に当たるのかを示す百分率情報を画面の第２領域に表示する。
【００５３】
次に、本発明の手順を終了する。
【００５４】
本発明の多様な実施形態は文書又はウェブページを利用して説明されたが、文書又はウェブページに限らずに多様なコンテンツにも適用可能である。例えば、ビデオ再生の際にも適用することができる。
【００５５】
図７は、本発明の実施形態による電子装置の構成図である。
【００５６】
電子装置は携帯用電子装置（ｐｏｒｔａｂｌｅ  ｅｌｅｃｔｒｏｎｉｃ  ｄｅｖｉｃｅ）であってもよく、携帯用端末機（ｍｏｂｉｌｅ  ｔｅｒｍｉｎａｌ）、移動端末機、（ｍｏｂｉｌｅ  ｔｅｒｍｉｎａｌ）、移動パッド（ｍｏｂｉｌｅ  ｐａｄ）、メディアプレーヤー（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置であってもよい。また、このような装置のうち２つ以上の機能を結合した装置を含む任意の携帯用電子装置であってもよい。
【００５７】
前記図７を参照すると、電子装置は制御機７００、スピーカ／マイクロフォン７１０、カメラ７２０、ＧＰＳ受信機７３０、ＲＦ処理機７４０、センサモジュール７５０、タッチスクリーン７６０、タッチスクリーン制御機７６５、拡張メモリ７７０を含んで構成される。
【００５８】
制御機７００はインターフェース７０１、一つ以上のプロセッサ７０２，７０３、そして内部メモリ７０４を含む。場合によっては、制御機７００全体をプロセッサと称することもある。インターフェース７０１、アプリケーションプロセッサ７０２、通信プロセッサ７０３、内部メモリ７０４は別途の構成要素であってもよく、一つ以上の集積化された回路に集積化されてもよい。
【００５９】
アプリケーションプロセッサ７０２は様々なソフトウェアプログラムを実行して電子装置のための多様な機能を行い、通信プロセッサ７０３は音声通信及びデータ通信のための処理及び制御を行う。また、このような通常的な機能に加え、プロセッサ７０２，７０３は拡張メモリ７７０又は内部メモリ７０４に記憶されている特定のソフトウェアモジュール（命令語セット）を実行してそのモジュールに対応する特定の様々な機能を行う役割もする。即ち、プロセッサ７０２，７０３は拡張メモリ７７０又は内部メモリ７０４に記憶されているソフトウェアモジュールと連動して本発明のスクロール情報表示のための方法を行う。
【００６０】
例えば、アプリケーションプロセッサ７０２がウェブブラウザ（又は文書ビューア）を利用してタッチスクリーンの上に該当ウェブページ（又は文書）を表示し、ウェブページ（又は文書）の内容が画面のサイズより多い場合、画面の第１領域にスクロールバーを表示する。この際、好ましくは、初期スクロールバーは右側上端に位置し、ウェブページ（又は文書）の内容が最初であると知らせる。また、初期スクロールバーの長さは全体のウェブページ又は全体の文書の長さに反比例する。
【００６１】
また、アプリケーションプロセッサ７０２がウェブページ（又は文書）の移動をユーザのタッチ及びドラッグで感知し、ドラッグの長さに応じてスクロールバーの長さを調節して表示する。例えば、ウェブページ（又は文書）の下部分にある内容が表示されるためにはドラッグ方向が上方向を向き、ウェブページ（又は文書）の上部分にある内容が表示されるためにはドラッグ方向が下方向を向く。ここで、ウェブページ又は文書の移動はユーザによってウェブページ又は文書の内容の一部がタッチされて該当方向にドラッグされることで行われる。一方、文書が上方向にドラッグされるとスクロールバーの長さが長くなり、スクロールバーの長さは現在表示されている画面の内容が全体内容のうちどの部分に当たるのかに比例する。実質的に、スクロール動作の際にスクロールバーは移動されず、スクロールバーの長さが調節される。
【００６２】
加えて、アプリケーションプロセッサ７０２が現在画面に表示されている内容が全体内容のうちどの部分に当たるのかを示す百分率情報を表示するのかを判断し、百分率情報表示が活性化されている際には現在画面に表示されている内容が全体内容のうちどの部分に当たるのかを示す百分率情報を画面の第２領域に表示する。
【００６３】
また、スクロールバーの形状は通常のバー（ｂａｒ）状であってもよいが、同じ属性を有する一定長のバーが連続された形態で形成されるか又は他の色などの属性を有する一定長のバーが連続された形態で表現されてもよい。
【００６４】
スクロールバーの表示も同じくユーザから受信された入力が終了されるか、入力の後、一定時間が経た場合に画面に表示されないように制御されてもよい。
【００６５】
一方、他のプロセッサ（図示せず）は一つ以上のデータプロセッサ、イメージプロセッサ又はコデックを含む。データプロセッサ、イメージプロセッサ又はコデックは別途に構成されてもよい。また、互いに異なる機能を行う多数個のプロセッサで構成されてもよい。インターフェース７０１は電子装置のタッチスクリーン制御機７６５及び拡張メモリ７７０に連結する。
【００６６】
センサモジュール７５０はインターフェース７０１に結合されて様々な機能を可能にする。例えば、動作センサ及び光センサがインターフェース７０１に結合されて各々電子装置の動作感知及び外部からの光感知を可能にする。他にも位置測定システム、温度センサ又は生体センサなどのようなその他のセンサがインターフェース７０１に連結されて関連機能を行ってもよい。
【００６７】
カメラ７０２はインターフェース７０１を介してセンサモジュール７５０と結合し、写真及びビデオクリップレコーディングのようなカメラ機能を行う。
【００６８】
ＲＦ処理機７４０は通信機能を行う。例えば、通信プロセッサ７０３の制御下でＲＦ信号を基底帯域信号に変換して通信プロセッサ７０３に提供するか、通信プロセッサ７０３からの基底帯域信号をＲＦ信号に変換して送信する。ここで、通信プロセッサ７０３は多様な通信方式に基底帯域信号を処理する。例えば、通信方式はこれらに限らないが、ＧＳＭ(登録商標)（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式、ＥＤＧＥ（Ｅｎｈａｎｃｅｄ  Ｄａｔａ  ＧＳＭ(登録商標)  Ｅｎｖｉｒｏｎｍｅｎｔ）通信方式、ＣＤＭＡ（Ｃｏｄｅ  Ｄｉｖｉｓｉｏｎ  Ｍｕｌｔｉｐｌｅ  Ａｃｃｅｓｓ）通信方式、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）通信方式、ＬＴＥ（Ｌｏｎｇ  Ｔｅｒｍ  Ｅｖｏｌｕｔｉｏｎ）通信方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式、Ｗｉ−Ｆｉ（Ｗｉｒｅｌｅｓｓ  Ｆｉｄｅｌｉｔｙ）通信方式、ＷｉＭａｘ通信方式又は／及びＢｌｕｅｔｏｏｔｈ(登録商標)通信方式を含む。
【００６９】
スピーカ／マイクロフォン７１０は、音声認識、音声複製、デジタルレコーディング（ｒｅｃｏｒｄｉｎｇ）及び電話機能のようなオーディオストリームの入出力を担当する。即ち、スピーカ／マイクロフォン７１０は音声信号を電気信号に変換するか電気信号を音声信号に変換する。図示していないが、脱着可能な（ａｔｔａｃｈａｌｂｅ  ａｎｄ  ｄｅｔａｃｈａｂｌｅ）イヤーフォン（ｅａｒ  ｐｈｏｎｅ）、ヘッドフォン（ｈｅａｄ  ｐｈｏｎｅ）又はヘッドセット（ｈｅａｄ  ｓｅｔ）が外部ポートを介して電子装置に連結されてもよい。
【００７０】
タッチスクリーン制御機７６５はタッチスクリーン７６０に結合される。ジェスチャースクリーン７６０及びタッチスクリーン制御機７６５はこれに限らないが、ジェスチャースクリーン７６０との一つ以上の接触点を決定するための容量性、抵抗性、赤外線及び表面音響波技術だけでなく、その他の近接センサ配列又はその他の要素を含む任意のマルチタッチ感知技術を利用して接触及び動作又はそれらの中断を検出する。
【００７１】
タッチスクリーン７６０は電子装置とユーザとの間に入出力インターフェースを提供する。即ち、タッチスクリーン７６０はユーザのタッチ入力を電子装置に伝達する。また、電子装置からの出力をユーザに示す媒介である。即ち、タッチスクリーンはユーザに視覚的な出力を示す。このような視覚的な出力（ｖｉｓｕａｌ  ｏｕｔｐｕｔ）はテキスト（ｔｅｘｔ）、グラフィック（ｇｒａｐｈｉｃ）、ビデオ（ｖｉｄｅｏ）とそれらの組み合わせの形で示される。
【００７２】
タッチスクリーン７６０としては多様なディスプレイが使用される。例えば、それに限らないが、ＬＣＤ（Ｌｉｑｕｉｄ  Ｃｒｙｓｔａｌ  Ｄｉｓｐｌａｙ  ｄｅｖｉｃｅ）、ＬＥＤ（Ｌｉｇｈｔ  Ｅｍｉｔｔｉｎｇ  Ｄｉｏｄｅ）、ＬＰＤ（Ｌｉｇｈｔ  Ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）などを使用してもよい。
【００７３】
ＧＰＳ受信機７３０は人工衛星から受けた信号を位置、速度、時間などの情報に変換する。例えば、衛星とＧＰＳ受信機間の距離は光の速度と信号到達時間をかけると計算され、３つの衛星の正確な位置と距離を求めて公知の三角測量の原理で電子装置の位置が測定される。
【００７４】
拡張メモリ７７０又は内部メモリ７０４は一つ以上の磁気ディスク記憶装置のような高速ランダムアクセスメモリ及び／又は非揮発性メモリ、一つ以上の光記憶装置及び／又はフラッシュメモリ（例えば、ＮＡＮＤ、ＮＯＲ）を含む。
【００７５】
拡張メモリ７７０又は内部メモリ７０４はソフトウェアを記憶する。ソフトウェア構成要素はオペレーティングシステム（ｏｐｅｒａｔｉｏｎ  ｓｙｓｔｅｍ）ソフトウェアモジュール、通信ソフトウェアモジュール、グラフィックソフトウェアモジュール、ユーザインターフェースソフトウェアモジュール及びＭＰＥＧモジュール、カメラソフトウェアモジュール、一つ以上のアプリケーションソフトウェアモジュールなどを含む。また、ソフトウェア構成要素であるモジュールは命令語の集合として表現されてもよいため、モジュールを命令語セット（ｉｎｓｔｒｕｃｔｉｏｎ  ｓｅｔ）と表現することもある。モジュールまた、プログラムと表現することもある。
【００７６】
オペレーティングシステムソフトウェアは、一般的なシステム作動（ｓｙｓｔｅｍ  ｏｐｅｒａｔｉｏｎ）を制御する様々はソフトウェア構成要素を含む。このような一般的なシステム作動の制御は、例えばメモリの管理及び制御、記憶ハードウェア（装置）の制御及び管理、電力の制御及び管理などを意味する。このようなオペレーティングシステムソフトウェアは、様々なハードウェア（装置）とソフトウェア構成要素（モジュール）との間の通信を円滑にする機能も行う。
【００７７】
通信ソフトウェアモジュールは、ＲＦ処理機７４０を介してコンピュータ、サーバー及び／又は携帯用端末機など他の電子装置との通信を可能にする。そして、通信ソフトウェアオジュールは該当通信方式に当たるプロトコール構造で構成される。
【００７８】
グラフィックソフトウェアモジュールは、タッチスクリーン７６０の上にグラフィックを提供し表示するための様々なソフトウェア構成要素を含む。グラフィックと（ｇｒａｐｈｉｃｓ）という用語はテキスト（ｔｅｘｔ）、ウェブページ（ｗｅｂ  ｐａｇｅ）、アイコン（ｉｃｏｎ）、デジタルイメージ（ｄｉｇｉｔａｌ  ｉｍａｇｅ）、ビデオ（ｖｉｄｅｏ）、アニメーション（ａｎｉｍａｔｉｏｎ）などを含む意味で使用される。
【００７９】
ユーザインターフェースソフトウェアモジュールは、ユーザインターフェースに関する様々なソフトウェア構成要素を含む。ユーザインターフェースの状態がどのように変更されるのか又はユーザインターフェースの状態変更がどのような条件で行われるのかなどに対する内容を含む。
【００８０】
カメラソフトウェアモジュールは、カメラ関連プロセス及び機能を可能にするカメラ関連ソフトウェア構成要素を含む。アプリケーションモジュールはレンダリングエンジンを含むウェブブラウザ（ｂｒｏｗｓｅｒ）、電子メール（ｅｍａｉｌ）、インスタントメッセージ（ｉｎｓｔａｎｔ  ｍｅｓｓａｇｅ）、ワードプロセッシング（ｗｏｒｄ  ｐｒｏｃｅｓｓｉｎｇ）、キーボードエミュレーション（ｋｅｙｂｏａｒｄ  ｅｍｕｌａｔｉｏｎ）、アドレスブック（ａｄｄｒｅｓｓ  ｂｏｏｋ）、タッチリスト（ｔｏｕｃｈ  ｌｉｓｔ）、ウィジェット（ｗｉｄｇｅｔ）、デジタル著作権管理（ＤＲＭ，Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、位置基盤サービス（ｌｏｃａｔｉｏｎ  ｂａｓｅｄ  ｓｅｒｖｉｃｅ）などを含む。メモリ７７０，７０４は上述したモジュール意外にも追加的なモジュール（命令語）を含む。又は、必要に応じて一部のモジュール（命令語）を使用しなくてもよい。
【００８１】
本発明について、アプリケーションモジュールはスクロール情報表示のための命令語（図５乃至図６を参照）を含む。
【００８２】
例えば、アプリケーションモジュールはウェブプロセッサ又は文書ビューアを利用してタッチスクリーンの上に該当ウェブページ又は文書を表示し、ウェブページ（又は文書）の内容が画面のサイズより多い場合、画面の第１領域にスクロールバーを表示する。この際、好ましくは、初期スクロールバーは右側上端に位置し、ウェブページ（又は文書）の内容が最初であると知らせる。また、初期スクロールバーの長さは全体のウェブページ又は文書の長さに反比例する。
【００８３】
また、アプリケーションモジュールはウェブページ（又は文書）の移動のためのユーザのタッチ及びドラッグで感知し、ドラッグの長さに応じてスクロールバーの長さを調節して表示する。例えば、ウェブページ（又は文書）の下部分にある内容が表示されるためにはドラッグ方向が上を向き、ウェブページ（又は文書）の上部分にある内容が表示されるためにはドラッグ方向が下を向く。ここで、ウェブページ又は文書の移動はユーザによってタッチされて該当方向にドラッグされることで行われる。一方、文書が下方向にドラッグされるとスクロールバーの長さが短くなり、スクロールバーの長さは現在表示されている画面の内容が全体内容のうちどの部分に当たるのかに比例する。実質的に、スクロール動作の際にスクロールバーは移動されず、スクロールバーの長さが調節される。
【００８４】
加えて、アプリケーションモジュールは現在画面に表示されている内容が全体内容のうちどの部分に当たるのかを示す百分率情報を表示するのかを判断し、百分率情報表示が活性化されている際には現在画面に表示されている内容が全体内容のうちどの部分に当たるのかを示す百分率情報を画面の第２領域に表示する。
【００８５】
本発明の請求項及び／又は明細書に記載された実施形態による方法はハードウェア、ソフトウェア又はハードウェアとソフトウェアが組み合わせられた形態で具現される（ｉｍｐｌｅｍｅｎｔｅｄ）。
【００８６】
ソフトウェアとして具現する場合、一つ以上のプログラム（ソフトウェアモジュール）を記憶するコンピュータで判読可能な記憶媒体が提供される。コンピュータで判読可能な記憶媒体に記憶される一つ以上のプログラムは、電子装置（ｄｅｉｖｅｃｅ）内の一つ以上のプロセッサによって実行可能に構成される（ｃｏｎｆｉｇｕｒｅｄ  ｆｏｒ  ｅｘｅｃｕｔｉｏｎ）。一つ以上のプログラムは、電子装置に本発明の請求項及び／又は明細書に記載された実施形態による方法を実行するようにする命令語（ｉｎｓｔｒｕｃｔｉｏｎｓ）を含む。
【００８７】
このようなプログラム（ソフトウェアモジュール、ソフトウェア）はランダムアクセスメモリ（ｒａｎｄｏｍ  ａｃｃｅｓｓ  ｍｅｍｏｒｙ）、フラッシュ（ｆｌａｓｈ）メモリを含む不揮発性（ｎｏｎ−ｖｏｌａｔｉｌｅ）メモリ、ロム（ＲＯＭ，Ｒｅａｄ  Ｏｎｌｙ  Ｍｅｍｏｒｙ）、電気的消去可能プログラムロム（ＥＥＲＯＭ，Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク記憶装置（ｍａｇｎｅｔｉｃ  ｄｉｓｃ  ｓｔｏｒａｇｅ  ｄｅｖｉｃｅ）、コンパクトディスクロム（ＣＤ−ＲＯＭ，Ｃｏｍｐａｃｔ  Ｄｉｓｃ−ＲＯＭ）、デジタル多目的ディスク（ＤＶＤｓ，Ｄｉｇｉｔａｌ  Ｖｅｒａｔｉｌｅ  Ｄｉｓｃｓ）又は他の形態の光学記憶装置、マグネチックカセット（ｍａｇｎｅｔｉｃ  ｃａｓｓｅｔｔｅ）に記憶される。又は、それらの一部或いは全部の組み合わせで構成されたメモリに記憶されてもよい。又は、それぞれの構成メモリは多数個含まれてもよい。
【００８８】
また、電子装置にインターネット（Ｉｎｔｅｒｎｅｔ）、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）又はＳＡＮ（Ｓｔｏｒａｇｅ  Ａｒｅａ  Ｎｅｔｗｏｒｋ）のような通信ネットワーク又はそれらの組み合わせで構成された通信ネットワークを介してアクセス（ａｃｃｅｓｓ）可能な付着可能な（ａｔｔａｃｈａｂｌｅ）記憶装置（ｓｔｏｒａｇｅ  ｄｅｖｉｃｅ）に記憶されてもよい。このような記憶装置は外部ポートを介して電子装置に接続される。
【００８９】
また、通信ネットワーク上の別途の記憶装置が携帯用電子装置に接続されてもよい。
【００９０】
上述したように、スクロール動作の際に現在画面に表示されている内容が全体内容のうちどの部分に当たるのかを判断し得る情報（スクロールバーのサイズ調節及び百分率表示）を提供することで、ユーザが現在画面に表示されている内容が全体内容のうちその部分に当たるのかをより正確に判断することができるという利点がある。
【００９１】
一方、本発明の詳細な説明では具体的な実施形態について説明したが、本発明の範囲を逸脱しない範囲内で多様な変形が可能であることはもちろんである。よって、本発明の範囲は説明された実施形態に限定されてはならず、後述する特許請求の範囲だけでなく、この特許請求の範囲と均等なものによって決められるべきである。
【符号の説明】
【００９２】
７００  制御機
７０１  インターフェース
７０２  アプリケーションプロセッサ
７０３  通信プロセッサ
７０４  内部メモリ
７１０  スピーカ／マイクロフォン
７２０  カメラ
７３０  ＧＰＳ受信機
７４０  RF処理機
７５０  センサモジュール
７６０  タッチスクリーン
７６５  タッチスクリーン制御機
７７０  拡張メモリ
【図１】
2014135053.tif 000003
【図２】
2014135053.tif 000004
【図３】
2014135053.tif 000005
【図４】
2014135053.tif 000006
【図５】
2014135053.tif 000007
【図６】
2014135053.tif 000008
【図７】
2014135053.tif 000009